(57)【要約】【課題】人の足に倣って膨らんだ編立部を有する下肢用被服及びその製造方法を提供する。【解決手段】足や脚の膨らんだ部分に対応する編立部の全部又は一部に膨らみ部６を有する。膨らみ部６は当該膨らみ部６以外の編立部２０よりも度目Ｌ１を粗くし、かつ厚みを増して編み立てられている。膨らみ部６は、粗くした度目Ｌ１に応じて、足し糸２３ａ又は替え糸２３ｂにより厚みを増して編み立てられている。膨らみ部６は、パイル編で編み立てることができる。膨らみ部６の足し糸２３ａ又は替え糸２３ｂは、当該膨らみ部以外の編立部に用いる編糸と比較して、嵩高性、弾力性、高摩擦係数、耐摩耗性、高保湿性及び弱酸性の少なくともいずれかを有する糸が用いられている。【選択図】図２
2020084372.tif 000002
【特許請求の範囲】
【請求項１】
足や脚の膨らんだ部分に対応する編立部の全部又は一部に膨らみ部を有し、前記膨らみ部は当該膨らみ部以外の編立部よりも度目を粗くし、かつ厚みを増して編み立てられていることを特徴とする下肢用被服。
【請求項２】
前記膨らみ部は、粗くした度目に応じて、足し糸又は替え糸により厚みを増して編み立てられている請求項１に記載の下肢用被服。
【請求項３】
前記膨らみ部は、パイル編で編み立てられている請求項１又は２に記載の下肢用被服。
【請求項４】
前記膨らみ部の前記足し糸又は前記替え糸は、当該膨らみ部以外の編立部に用いる編糸と比較して、嵩高性、弾力性、高摩擦係数、耐摩耗性、高保湿性及び弱酸性の少なくともいずれを有する糸が用いられている請求項１から３のいずれかに記載の下肢用被服。
【請求項５】
複数の前記膨らみ部が、通常の度目又は度目詰めした部分を挟んで編み立てられている請求項１から４のいずれかに記載の下肢用被服。
【請求項６】
前記膨らみ部の前記足し糸又は前記替え糸に熱溶融性の糸が用いられている請求項１から５のいずれかに記載の下肢用被服。
【請求項７】
前記膨らみ部の周囲の編立部分が、度目を詰めて編み立てられている請求項１から６のいずれかに記載の下肢用被服。
【請求項８】
足や脚の膨らんだ部分に対応する編立部の全部又は一部に膨らみ部を有する下肢用被服の製造方法であって、
正転編により前記膨らみ部を有する部分を編み立てる際に、前記膨らみ部の編始から編終まで、当該膨らみ部以外の部分よりも度目を粗くし、かつ厚みを増して編み立てることを特徴とする下肢用被服の製造方法。
【発明の詳細な説明】
【技術分野】
【０００１】
本発明は、人の足や脚の形と動き、働きに沿った生産性の高い成形編みの靴下、ハイソックス、ふくらはぎサポーター、膝サポーター等の下肢用被服及びその製造方法に関する。
【背景技術】
【０００２】
人の足や脚の形は立体的で左右非対称である。足には、母趾球関節や足首関節等屈曲する部分とそうでない部分がある。また、地面に触れて身体を支える足裏接地部分もあれば、足裏でありながら地面に接することなく、接地部分が有効に作用するようにアーチを形づくる土踏まず部分もある。脚には、踝や脛骨前縁、ふくらはぎ等膨らんだ部分がある。  
【０００３】
これに対し、靴下は、一般に、正転編により筒状に編み立て、爪先と踵となる部分を正逆転編により台形の袋状に編み立てることによって得られ、足の形に倣ったものであるが、左右対称であり、凹凸がなく、平面的である。
【０００４】
スポーツ用として、足に沿って無駄が無く、足にフィットして圧迫がない靴下が望まれる。高齢者や障害者等向けでもあるユニバーサルデザインでは、着脱し易く、ズレやたくれ、圧迫感がない靴下が要求される。
【０００５】
このため、従来、伸縮性を有する編糸で編み立てた靴下がある。しかし、このような伸縮性により足に沿わせようとした靴下では、編組織・編構造は従来の靴下と同じであり、足に履いたときに伸ばされる部分の収縮力により圧迫感が生じる。また、伸ばされた部分とそうでない部分で立体的な人の足の形に沿っているが、編構造ではなく伸縮性により立体的な人の足の形に無理やり沿わせているので、履いているうちに、元の形に戻ろうとして伸ばされた部分がそうでない部分を引き寄せるので、靴下がズレやすい。また、伸ばされる部分は、出っ張ったり膨出しているので、他の部分より強くなければならないが、伸ばされることにより生地が薄くなり、緩衝性が落ち、破れたり、摩耗し易くなるという問題がある。
【０００６】
また、特許文献１のように、爪先部に厚み増加用編立部分を余分に編み込んだ靴下が提供されている。しかし、余分の編立部分は正逆転編により編み込むため、生産性が悪いうえ、編立ロスが発生し易く、コストが上がる。正逆転編は、平行四辺形又は台形に編み立てるため、平面の簡単な組み合わせによる立体の形成であり、面積の増加であることから、複雑な人の足に沿った形にすることは困難である等の問題があった。なお、特許文献１の厚み増加用編立部分の厚みは、足裏側と甲側の間の立体的な高さであり、以下に説明する本願発明の膨らみ部の厚みは編地の厚みである。
【先行技術文献】
【特許文献】
【０００７】
【特許文献１】特許第２８９５４７３号明細書
【発明の概要】
【発明が解決しようとする課題】
【０００８】
本発明は前記従来の問題点に鑑みてなされたもので、人の足や脚に倣って膨らんだ編立部を有する下肢用被服及びその製造方法を提供することを課題とする。
【課題を解決するための手段】
【０００９】
前記課題を解決するため、本発明は、下肢の膨らんだ部分に対応する編立部の全部又は一部に膨らみ部を有し、前記膨らみ部は当該膨らみ部以外の編立部よりも度目を粗くし、かつ厚みを増して編み立てられていることを特徴とする。
ここで、下肢は、人の足首からつま先までの「足」と、足首から骨盤までの「脚」とを含む。
前記膨らみ部は、粗くした度目に応じて、足し糸又は替え糸により厚みを増して編み立てられている。
【００１０】
度目を粗くし、かつ厚みを増して編み立てられた膨らみ部は、それに隣接する編立部よりもゲージが大きく、膨らんだ立体の編地となる。
【００１１】
前記膨らみ部は、パイル編で編み立てられていることが好ましい。
パイル編みにより拡大したシンカーループによって足し糸又は替え糸の端末が隠されるので、足し糸又は替え糸の端末が目立たず、きれいな製品となる。
【００１２】
前記膨らみ部の前記足し糸又は前記替え糸は、当該膨らみ部以外の編立部に用いる編糸と比較して、嵩高性、弾力性、摩擦係数、耐摩耗性、高保湿性及び弱酸性等の機能面、あるいは色や光沢感等素材感に差が有ることが好ましい。
前記膨らみ部の前記足し糸又は前記替え糸は、当該膨らみ部以外の編立部に用いる編糸と比較して、嵩高性、弾力性、高摩擦係数、耐摩耗性、高保湿性及び弱酸性の少なくともいずれかを有する糸が用いられていることが好ましい。
これにより、クッション性、滑り止め、擦り切れにくい機能、肌にやさしい機能を持たせることができる。足し糸の場合は、高摩擦係数、耐摩耗性の糸を表側に、高保湿性、弱酸性の糸を裏側にして編み込むことで、それぞれの機能を持たせることができる。また、膨らみ部の足し糸又は替え糸は、当該膨らみ部以外の編立部と、色や素材感を異ならせることによって、ビジュアルに各機能性をアピールすることができる。
【００１３】
複数の前記膨らみ部が、通常の度目又は度目詰めした部分を挟んで編み立てられていることが好ましい。
度目を粗くし、かつ厚みを増して編み立てられた膨らみ部が１コース又は数コース毎に編み立てられるので、凹凸のある摩擦係数の高い編地や通気性の高い編地等、より機能性の高い編地を得ることができる。
【００１４】
前記膨らみ部の前記足し糸又は前記替え糸に熱溶融性の糸が用いられていることが好ましい。
編立後に、足型に入れて加熱することで、足の踝や母趾球等の膨らんだ部分の形に沿わせて成形し、その他の部分は伸縮性を持たせることができる。
【００１５】
前記膨らみ部の周囲の編立部分が、度目を詰めて編み立てられていることが好ましい。
度目を粗くした膨らみ部は、周囲の度目を詰めて編み立てられた部分を設けることにより際立った状態になり、より下肢の形に沿った下肢用被服の機能性を増すことができる。
【００１６】
本発明は、下肢の膨らんだ部分に対応する編立部の全部又は一部に膨らみ部を有する下肢用被服の製造方法であって、
正転編により前記膨らみ部を有する部分を編み立てる際に、前記膨らみ部の編始から編終まで、当該膨らみ部以外の部分よりも度目を粗くし、かつ厚みを増して編み立てることを特徴とする。
【発明の効果】
【００１７】
本発明によれば、膨らみ部は厚く膨らんだ立体の生地となる。したがって、本発明の下肢用被服を着用したときに、膨らみ部に対応する下肢用被服の生地が足の親指、母趾球、アキレス腱等の出っ張り部分に引き伸ばされないため、安定した状態で足や脚の形に沿うことができ、圧迫感が生じることがないし、生地が薄くなったり、ずれることもない。
また、膨らみ部は、丸編機による正転編のみで編み立てることができ、余分に生地を編足すこともないので、生産性が良く、編立ロスが発生することがない。
さらに、膨らみ部は、１コース１ウェール単位で設けることができるので、足の形に沿わせて膨らみ部を形成することができる。
足や脚の膨らみ部は、足指や母趾球等の地面を掴む部分や足の屈曲に重要な部分にもなっているが、本発明の膨らみ部はそれらにおける機能向上等の効果を有している。
【図面の簡単な説明】
【００１８】
【図１】本発明に係る靴下の足裏側から見た図（ａ）、及び人の足の足裏側から見た図（ｂ）。
【図２】本発明に係る靴下の膨らみ部の編構造の第１実施例であり、足し糸による編構造（ａ）、替え糸による編構造（ｂ）を示す図。図２では、足し糸又は替え糸は説明の便宜上１コースのみに挿入しているが、実際には、度目を粗くしたコースすべてに、その度目に応じた太さの足し糸又は替え糸を挿入する。図５、図７についても同様である。
【図３】シンカーによる度目の調整構造を示す断面図。
【図４】本発明に係る靴下の展開図。
【図５】本発明に係る靴下の膨らみ部の編構造の第２実施例を示す図。
【図６】本発明に係る靴下の膨らみ部の編構造の第３実施例を示す図。
【図７】本発明に係る靴下の膨らみ部の編構造の第４実施例であり、足し糸による編構造（ａ）、替え糸による編構造（ｂ）を示す図。
【図８】実際に編み立てられた本発明に係る靴下の足底側からみた写真（ａ）、足甲側から見た写真（ｂ）。
【図９】本発明に係る靴下の変形例における足裏側から見た図。
【図１０】本発明に係る靴下の他の変形例における足裏側から見た図。
【図１１】発明に係るハイソックスの脚部の斜視図。
【図１２】発明に係るハイソックスの脚部の展開図。
【発明を実施するための形態】
【００１９】
次に、本発明の実施の形態を添付図面に従って説明する。  
【００２０】
図１（ａ）は、本発明に係る下肢用被服である靴下１を足裏側から見た図である。この靴下１は、脚部２、踵部３、足部４、爪先部５で構成されている。靴下１には、図１（ｂ）に示す人の下肢の膨らんだ部分又は出っ張った部分に対応して、膨らみ部６ａ、６ｂ、６ｃ、６ｄ、６ｅ（以下、これらをまとめて膨らみ部６という。）が設けられている。
【００２１】
すなわち、脚部２には、人の足９の内踝１０及び外踝（不図示）に対応する部分に膨らみ部６ａ、６ｂが設けられ、アキレス腱１１に対応する部分に膨らみ部６ｃが設けられている。足部４には、足９の前裏足部１２（母趾球１４から小趾球１５までの間の部分）と足裏外側部１３に対応する部分にＬ字状の膨らみ部６ｄが設けられ、母趾球１４に対応する部分に膨らみ部６ｅが設けられている。
【００２２】
また、足部４の土踏まず１６に対応する部分にアーチサポート部７が設けられている。爪先部５には、母趾１７の裏側部に対応する部分に立体的に編み立てられた母趾収容部８が設けられている。
【００２３】
図２（ａ）は、各膨らみ部６とその両側に連続する通常編立部２０の第１実施例の編構造を示す。通常編立部２０は、２本の糸を使用し、一方を表糸２１、他方の糸を裏糸２２にした平編（添え糸編）である。膨らみ部６は、当該膨らみ部６の両側の通常編立部２０よりも度目を粗くし、かつ足し糸２３ａを追加して編み立てられている。
【００２４】
膨らみ部６の度目Ｌ１は、足し糸の太さに応じて、両側の通常編立部２０の度目Ｌ２の１２０〜１８０％程度粗くすることができる。度目Ｌの調整は、図３に示すように、丸編機のシリンダ３０を上下させるか、度山３４による針３２の引き下げの度合いを変えるかにより、シンカー３１と下降した針３２のフック３３との間の寸法ｈを変えることで、編目のループの大きさを変更することにより行うことができる。
【００２５】
足し糸２３ａは、膨らみ部６を編み立てるときに、足し糸の目的とする機能に応じて、表糸２１に対して裏糸側又はその反対側に追加され、端末は靴下１の内側に置く。特に摩擦係数の低い糸の場合などには、通常編立部２０を１目、通常の度目にかかわらず足し糸して編んでその部分の編目を詰まった状態にすることにより、足し糸をより抜け難くすることが好ましい。足し糸２３ａは、各コースに足してもよいが、１又は複数コース空けて足してもよい。
【００２６】
足し糸２３ａは、度目Ｌの粗さに応じて、本数を決めることができる。例えば、３２番単糸（32/1）を３本引き揃えたものを表糸２１にし、４０＋７０デニールのスパンデックスを裏糸２２にした通常編立部２０の全体の太さをデニールで表すと、
166.1(32/1)x3+40+70=608.3デニール
となる。
膨らみ部６において、表糸２１に３２番手の糸１本を足し糸２３ａとして追加する場合、膨らみ部６の太さを通常編立部２０の太さに適合する度目にするには、膨らみ部６の度目Ｌ１を
(166.1(32/1)x4+40+70)/608.3=1.27
倍に（１２７％に）する。
また、表糸に３２番手の糸２本を足し糸２３ａとして追加する場合、膨らみ部６の太さを通常編立部２０の太さに適合する度目にするには、膨らみ部６の度目Ｌ１を
(166.1(32/1)x5+40+70)/608.3=1.54
倍に（１５４％に）する。
【００２７】
図２（ｂ）は、第１実施例の変形例であり、第１実施例の膨らみ部６の足し糸２３ａの代わりに、替え糸２３ｂを用いた編構造を示す。通常編立部２０は、表糸２１と裏糸２２を使用して編み立てられ、膨らみ部６の手前で表糸２１が切られて端末が裏側に置かれている。膨らみ部６は、当該膨らみ部６の両側の通常編立部２０の度目Ｌ２よりも度目Ｌ１を粗くし、かつ替え糸２３ｂをして編み立てられている。替え糸２３ｂの端末は、裏側に置かれている。替え糸２３ｂは、粗くした度目Ｌ１に応じて、通常編立部２０の表糸２１より太い糸が用いられている。例えば、通常編立部２０の表糸２１が３２番単糸（32/1）を３本引き揃えたものである場合、膨らみ部６の替え糸２３ｂは、３２番単糸（32/1）を４本引き揃えたものが使用される。
【００２８】
足し糸２３ａ又は替え糸２３ｂには、通常編立部２０の糸に比べて、嵩高性、弾力性、高摩擦係数、耐摩耗性、高保湿性及び弱酸性のある少なくともいずれかを有する糸、あるいは色や光沢感等の素材感がある糸を用いることができる。これにより、クッション性、滑り止め、擦り切れにくい機能、肌にやさしい機能を持たせることができる。高摩擦係数、耐摩耗性の足し糸２３ａを表糸２１側にして編み込むことで、滑り止め、擦り切れにくい機能を持たせることができる。また、高保湿性、弱酸性の足し糸２３ａを裏糸２２側にして編み込むことで、肌にやさしい機能を持たせることができる。さらに、色や素材感を異ならせることによって、ビジュアルに各機能性をアピールすることができる。嵩高性の糸としては、仮撚り糸、コンジュゲートヤーン等があり、弾力性のある糸としては、ウール糸等がある。また、高摩擦係数の糸としてはナノフロント（登録商標）、耐摩耗性の糸としてはイザナス（登録商標）、ケブラー（登録商標）等、高保湿性の糸としてはスクラワン加工糸、セリシン加工糸、モイスト糸等、弱酸性の糸としてはラフィナン（登録商標）等を使用することができる。
【００２９】
足し糸２３ａ又は替え糸２３ｂに、フロール（登録商標）等の熱溶融性の糸が用いられてもよい。熱溶融性の足し糸２３ａ又は替え糸２３ｂを用いると、編立後に、足型に入れて加熱することで、足の踝や母趾球や足裏接地部分等の膨らんだ部分の形に沿わせて成形し、母趾球関節や足首関節等屈曲する部分等その他の部分は伸縮性を持たせることができる。
【００３０】
度目Ｌを粗くし、かつ足し糸２３ａ又は替え糸２３ｂにより編み立てられた膨らみ部６は、それに隣接する通常編立部２０よりもゲージが大きく、厚く頬張って膨らんだ立体の生地となる。したがって、靴下を足に履いたときに、靴下の膨らみ部６が足の内踝１０、外踝、アキレス腱１１、母趾球１４、母趾１７等の出っ張り部分に引き伸ばされないため、安定した状態で足の形に沿うことができ、圧迫感が生じることがないし、生地が薄くなったり、ずれることもない。後述するように、脛骨前縁やふくらはぎ等膨らんだ部分についても同様に実施することができる。
【００３１】
また、膨らみ部６は、丸編機による正転編のみで編み立てることができ、余分に生地を編足すこともないので、生産性が良く、編立ロスが発生することがない。
【００３２】
さらに、膨らみ部６は、１コース１ウェール単位で設けることができるので、足の形に沿わせて膨らみ部を形成することができる。
【００３３】
図４は、靴下１の編構造を示す展開図である。靴下１は、丸編機により脚部２からつま先部５に向かって編み立てられる。
【００３４】
まず、正転編により脚部２を円筒状に編み立てる。脚部２には、足の内踝、外踝に対応する部分に略円形の膨らみ部６ａ、６ｂと、足のアキレス腱に対応する部分にウェール方向に長い略矩形の膨らみ部６ｃとを編み立てる。脚部２のコースを編み立てている際に、膨らみ部６ａ、６ｂ、６ｃは、当該膨らみ部以外の部分よりも度目を粗くし、かつ足し糸又は替え糸を行って編み立てる。
【００３５】
脚部２に続き、踵部３を正逆反転編により袋状に編み立てる。
【００３６】
踵部３の編み立てを終えると、足部４を正転編により円筒状に編み立てる。足部４には、足の足裏外側部と足裏前足部に対応する部分にＬ字形の膨らみ部６ｄを編み立てる。Ｌ字形の膨らみ部６ｄの編立の後半で、足の母趾球に対応する部分には略円形の膨らみ部６ｅを編み立てる。母趾球の膨らみ部６ｅは、足裏前足部に対応する部分の膨らみ部６ｄよりも、度目を粗くし、かつ厚みを増して編み立てる。なお、足の土踏まず部に対応する部分は、タック編によりアーチサポート部７を編み立てる。
【００３７】
足部４に続き、つま先部５を正逆反転編で連続して編み立てる。つま先部５は、第１台形生地２４、第２台形生地２５、第３台形生地２６、第４台形生地２７を順に編み立てる。第１台形生地２４と第２台形生地２５は、コース方向に長い台形の生地２８に続いて短い台形の生地２９を交互に編み立てることで、母趾の裏側に対応する立体的に編に立てられた母趾収容部８を形成する。
【００３８】
立体的な母趾収容部８に代えて、足袋のように母趾１７又は母趾１７以外の足指の裏側に対応する部分に膨らみ部を編み立ててもよいし、母趾１７、第２−４趾１８ａ〜１８ｃ、小趾１９の全ての足指の裏側部分に対応する部分に膨らみ部を編み立ててもよい。
【００３９】
つま先部５の編終コース５ａと足部４の編終コース４ａとを逢着することで、靴下１が形成される。最後に、型板にセットしてスチームで加熱し成型する。
【００４０】
図５は、各膨らみ部６とその両側に連続する通常編立部２０の第２実施例の編構造を示す。この編構造では、膨らみ部６は、パイル編みにより、表糸シンカーループ３５が拡大されている。この編構造によれば、パイル編みにより拡大した表糸シンカーループ３５によって足し糸２３ａの端末が隠されるので、足し糸２３ａの端末が目立たず、きれいな製品となる。
【００４１】
図６は、各膨らみ部６とその両側に連続する通常編立部２０の第３実施例の編構造を示す。この編構造では、膨らみ部６の度目Ｌ１が１コース毎に粗くされている。すなわち、度目を粗くし、かつ足し糸した部分（Ｌ１(大)）と、通常の度目又は度目詰した部分（Ｌ１(小)）とが１コース毎に編み立てられている。この編構造によれば、度目を粗くし、かつ足し糸した部分（Ｌ１(大)）が１コース毎に編み立てられるので、凹凸のある摩擦係数の高い編地となる。なお、１コース毎でなく、複数コース毎に膨らみ部６の度目Ｌ１を粗くしてもよい。
【００４２】
図７（ａ）は、各膨らみ部６とその両側に連続する通常編立部２０の第４実施例の編構造を示す。この編構造では、膨らみ部６の周囲の編立部３６が、膨らみ部６の度目Ｌ１と通常編立部２０の度目Ｌ２より小さい度目Ｌ３で度詰めされて編み立てられている。この編構造によれば、度目を粗くした膨らみ部６は、周囲編立部３６により際立った状態になり、より足の形に沿った靴下にすることができる。この編構造はアキレス腱の膨らみ部６ｃに有効である。
【００４３】
図７（ｂ）は、第４実施例の変形例であり、第４実施例の膨らみ部６の足し糸２３ａの代わりに、替え糸２３ｂを用いた編構造を示す。この変形例では、通常編立部２０から膨らみ部６を編み立てる前及び、膨らみ部６を編み立てた後、通常編立部２０の度目Ｌ２より小さい度目Ｌ３で周囲編立部３６が編み立てられる。
【００４４】
図８は、実際に編み立てられた本発明に係る靴下を示す。この靴下は、表糸及び足し糸に綿アクリル、裏糸にスパンデックスを用いて、外踝及び内踝の膨らみ部６ａ、６ｂ、足裏外側部と足裏前足部の膨らみ部６ｄ、母趾球の膨らみ部６ｅが形成され、足の形に倣ったものとなっている。
【００４５】
図９は、本発明の靴下の変形例を示す。この靴下では、複数の膨らみ部が、通常の度目又は度目詰めした部分を挟んで設けられている。すなわち、足の足裏外側部１３に対応する編立部に多数の膨らみ部６ｄ-1から６ｄ-ｎが編み立てられ、その間に通常の度目又は度詰めした編立部が編み立てられている。さらに、足の母趾球１４に対応する編立部に２つの膨らみ部６ｅ-1、６ｅ-２が編み立てられ、その間に通常の度目又は度詰めした編立部が編み立てられている。
【００４６】
このように、複数の膨らみ部が、通常の度目又は度目詰めした部分を挟んで設けられているので、全体に凹凸のある膨らみ部となり、地面や靴の内底に対して踏ん張る効果を持たせることができる。
【００４７】
複数の膨らみ部は、それぞれの度目を変えることで、より足の形に沿った靴下とすることができる。例えば、足裏外側部１３に対応する多数の膨らみ部６ｄ-1から６ｄ−ｎのうち、踵からつま先に向かって約１／３までの膨らみ部６ｄ-1・・・と、つま先から踵に向かって約１／３までの膨らみ部６ｄ-ｎ，６ｄ-ｎ-1・・・は、通常編立部に対して度目を１６０％にし、踵からつま先までの間の中間部分の膨らみ部は、通常編立部に対して度目を１３０％にする。
【００４８】
図１０は、本発明の靴下の他の変形例を示す。この靴下では、足の足裏外側部１３に対応する編立部に、１コース毎に度目を粗くしかつ足し糸２３ａ（又は替え糸）を行った膨らみ部６ｄ−１を複数ブロック設けたものである。各膨らみ部６ｄ−１は１コース毎に度目を粗くしかつ足し糸２３ａ（又は替え糸）が設けられているので、膨らみ部６ｄ−１の表面に凹凸が形成され、滑り止めの機能が生じる。
【００４９】
図１１は、本発明に係るハイソックス１ａの脚部２を示し、図１２はハイソックス１ａの脚部２の展開図である。このハイソックス１ａの脚部２には、図１（ｃ）に示す人の脚９ａの脛骨前縁９ｂとふくらはぎ９ｃに対応する編立部に、膨らみ部６ｆ、６ｇが設けられている。なお、図１１，１２のハイソックス１ａの踵部３からつま先部までを無くし、脚部２のみとすることで、ふくらはぎサポーターとすることができる。また、人の脚９ａの膝９ｄに対応する編立部に膨らみ部を形成することで、膝サポーターとすることができる。このようなハイソックス、ふくらはぎサポーター、膝サポーターでも、安定した状態で脚９ａの脛骨前縁９ｂや、ふくらはぎ９ｃ、膝９ｄの形に沿うことができ、圧迫感が生じることがないし、生地が薄くなったり、ずれることもない等、前述した靴下１と同様に効果を有する。
【００５０】
本願発明は、以上の実施形態に限るものではなく、特許請求の範囲に記載された発明の範囲内で変形・修正することができる。
【符号の説明】
【００５１】
１…靴下
１ａ…ハイソックス
２…脚部
３…踵部
４…足部
５…つま先部
６…膨らみ部
７…アーチサポート部
８…母趾収容部
９…人の足
９ａ…人の脚
９ｂ…脛骨前縁
９ｃ…ふくらはぎ
９ｄ…膝
１０…内踝
１１…アキレス腱
１２…前裏足部
１３…足裏外側部
１４…母趾球
１５…小趾球
１６…土踏まず
１７…母趾
１８ａ、１８ｂ、１８ｃ…第２、第３、第４趾
１９…小趾
２０…通常編立部
２１…表糸
２２…裏糸
２３ａ…足し糸
２３ｂ…替え糸
２４…第１台形部
２５…第２台形部
２６…第３台形部
２７…第４台形部
２８…台形生地
２９…台形生地
３０…シリンダ
３１…シンカー
３２…針
３３…フック
３４…度山
３５…表糸シンカーループ
３６…周囲編立部
【図１】
2020084372.tif 000003
【図２】
2020084372.tif 000004
【図３】
2020084372.tif 000005
【図４】
2020084372.tif 000006
【図５】
2020084372.tif 000007
【図６】
2020084372.tif 000008
【図７】
2020084372.tif 000009
【図８】
2020084372.tif 000010
【図９】
2020084372.tif 000011
【図１０】
2020084372.tif 000012
【図１１】
2020084372.tif 000013
【図１２】
2020084372.tif 000014